(57)【要約】      （修正有）【課題】眼鏡を装着する場合に、鼻で眼鏡を支持する不快感をなくし、ひいては顔面にその支持痕をもたらさない眼鏡支持補助具を提供する。【解決手段】眼鏡フレームのテンプル２−１に着脱自在に挿着できる眼鏡支持補助具１であって、前記眼鏡支持補助具１が直方体又は円筒体であり、中央部に前記テンプル２−１の挿通孔を設け、前記眼鏡支持補助具１が、柔軟で、弾力があり、耐候性のあるシリコーン樹脂製であることを特徴とする。【選択図】図２
0003177822.tif 000002
【実用新案登録請求の範囲】
【請求項１】
眼鏡フレームのテンプルに着脱自在に挿着できる眼鏡支持補助具であって、前記眼鏡支持補助具が直方体又は円筒体であり、中央部に前記テンプルの挿通孔を設け、かつ、柔軟で、弾力がある材料を用いることを特徴とする眼鏡支持補助具。
【請求項２】
前記材料が、柔軟で、弾力があり、耐候性のある合成樹脂であることを特徴とする請求項１に記載の眼鏡支持補助具。
【請求項３】
前記合成樹脂が、シリコーン樹脂であることを特徴とする請求項２に記載の眼鏡支持補助具。
【請求項４】
前記材料が、布地を表側に、スポンジを中身に重層した材料であることを特徴とする請求項１に記載の眼鏡支持補助具。
【請求項５】
前記眼鏡支持補助具の大きさが、端部断面の縦、横方向の平均長と軸方向の長さの比が１：２〜１：３であることを特徴とする請求項１から４のいずれかに記載の眼鏡支持補助具。
【考案の詳細な説明】
【技術分野】
【０００１】
本考案は、眼鏡を装着する場合に、鼻で眼鏡を支持する不快感をなくし、ひいては顔面にその支持痕をもたらさない眼鏡支持補助具で、詳しくは、鼻で眼鏡フレームの一部を支持負担することなく、眼鏡フレームを両方の耳の部位と協同で支持するようにした眼鏡支持補助具に関するものである。
【背景技術】
【０００２】
眼鏡は、目の屈折異常である近視、老視、遠視、乱視を矯正したり、サングラスや偏光グラス等で目を保護したり、又は着飾ったりするために目の周辺に装着するように種々の目的のために身近に用いられる器具である。
【０００３】
眼鏡は、一般に、眼前に置かれる２枚のレンズであり、レンズを支えるフレーム、テンプル、モダン、パッド、クリングス、ブリッジ等からなり、眼前にレンズを適正に保持するように、眼鏡フレームは、パッド（鼻掛け部）を装着者の鼻に当て、テンプル（つる）の後端に一体的に設けたモダン（耳掛け部）を耳に引っ掛けて支持される。
【０００４】
しかしながら、眼鏡は鼻パッドの両側にレンズが装着されているために、眼鏡の重心は鼻パッドの近くになる。眼鏡の多くは鼻パッド方式で、顔の前面である鼻に設置支持のため、眼鏡のほぼ全重量が鼻部に加わり、下にずれたり、鼻パッドの痕がついたり、シミになったり、汗が溜まったり、デスクワーク等での長時間の鼻への圧迫感を強いられたり、これらが災いして、圧迫痕が残り、さらにシミになったり、とくに、女性の化粧に長時間又は長期間にわたり不快な影響を与えていた。
【０００５】
この問題を解決するとした、眼鏡フレームを両方の耳部位のみで支持して鼻部位で支持しない構造にすることで鼻パッドを不要にできるとした先行技術が開示されている（文献１）。
【先行技術文献】
【特許文献】
【０００６】
【特許文献１】特開２００６−１３３７２８公報（〔０００５、０００６〕、〔図１、図６〕）。
【考案の概要】
【考案が解決しようとする課題】
【０００７】
前記先行技術は、ばね箱内のぜんまいばねの調整された付勢力により眼鏡フレームのアームの一部とレバーの一部とによって耳外側の部位の上下側を挟持して、両方の耳部位のみで眼鏡フレームを支持するようにしたもので、眼鏡フレームを鼻部位で支持しない点で有効であるが、構造が複雑で、重量が従来の眼鏡フレームより大きいと想定され、また着脱するのに手間がかかり、また価格も高く付くなどの問題があった。
【０００８】
そこで、上記の問題を解決するために、眼鏡フレームを両耳の部位と側頭部位とで支持して、鼻部位で支持する不快感をなくし、これにより顔面への不快感をなくし、また鼻部位に不快な支持痕跡を生ぜす、とくに女性にとって好適に着用でき、また着脱できる簡易な構造の眼鏡支持補助具を提供するものである。
【課題を解決するための手段】
【０００９】
本考案の請求項１に係る眼鏡支持補助具は、眼鏡フレームのテンプルに着脱自在に挿着できる眼鏡支持補助具であって、前記眼鏡支持補助具が直方体又は円筒体であり、中央部に前記テンプルの挿通孔を設け、かつ、柔軟で、弾力がある材料を用いることを特徴とする。
【００１０】
請求項２に係る眼鏡支持補助具は、請求項１において、前記材料が、柔軟で、弾力があり、耐候性のある合成樹脂製であることを特徴とする。また、請求項３に係る眼鏡支持補助具は、請求項２において、前記合成樹脂が、シリコーン樹脂であることを特徴とする。また、請求項４に係る眼鏡支持補助具は、請求項１において、前記材料が、布地を表側に、スポンジを中身に重層した材料であることを特徴とする。
【００１１】
請求項５に係る眼鏡支持補助具は、請求項１から４のいずれかにおいて、前記眼鏡支持補助具の大きさが、端部断面の縦、横方向の平均長と軸方向の長さの比が１：２〜１：３であることを特徴とする。
【００１２】
これらの構成により、本体が直方体又は円筒体で、かつ、柔軟で、弾力がある合成樹脂製、又は布地を表側に、スポンジを中身に重層した材料製の眼鏡支持補助具を眼鏡フレームのテンプルのほぼ中央の位置に挿通して留めることにより眼鏡を着用した際に、前記テンプルの後端にあるモダンを耳部位に掛けると共に、前記眼鏡支持補助具がその内側表面を側頭部に押圧接触することにより鼻パッドの鼻部位への押圧接触を無くし、又は減ずることができる。なお、直方体は、正方体を含み、円筒体は、長円筒体を含むものである。
【００１３】
眼鏡支持補助具は、柔軟で、弾力がある合成樹脂製、又は布地を表側に、スポンジを中身に重層した材料製だから、側頭部へ押圧接触した際に、内側面全体が側頭部に押圧接触するので、テンプルを容易に支持できるし、ひいては眼鏡全体の重量を耳部位と側頭部で十分に保持でき、鼻部位への負担を無くし、又は減ずることができる。また、テンプルへの眼鏡支持補助具の挿通などの着脱が容易であると共にフィットし易い。また、外気や外光に曝されても変色や性質が劣化しない耐候性を有している。
【００１４】
また、柔軟で、弾力があり、耐候性のある合成樹脂製として最適なものはシリコーン樹脂である。シリコーン樹脂は、軟質材料であり、耐熱度が２４０℃と高く、熱伝導性に優れ、耐汗性、耐日光に強いなど耐候性を有し、また、汗や水が篭もらない気体透過性に優れているし、成型時の収縮性が低いなど眼鏡支持補助具として好適である。
【００１５】
眼鏡支持補助具の大きさは、側頭部に接触する内側表面積と、挿通部のテンプルと側頭部との間の距離に係る弾力性が大きい程、眼鏡支持補助具の側頭部への押圧接触力が高くなるので、接触圧力の強さ（支持力）と装着時の美観を勘案して、端部断面の縦、横方向の平均長と軸方向の長さの比が１：２〜１：３であることが好ましい。
【考案の効果】
【００１６】
本考案に係る請求項１から５に記載の眼鏡支持補助具によれば、眼鏡フレームのテンプルに本眼鏡支持補助具を挿着した眼鏡を着用すると、前記眼鏡支持補助具は側頭部に弾力的に押圧接触することによりテンプルを側頭部の部位で支持できるので、モダンを耳部位に掛けて支持するのと合わせた協同作用で、眼鏡を適切な支持状態で着用することができる。すなわち、従前のように眼鏡の鼻パッドを鼻部位で支持することをしなくなる。言い換えると、鼻部位に接触しないか、又は軽く接触する程度にすることができる。これにより、眼鏡の着用時において、鼻の部位への圧迫感が無くなり、顔への不快感や鼻の部位に圧迫痕をもたらさない。また、眼鏡を着用していても、デスクワーク等の仕事に従事していても快適に仕事に集中することができる。特に、女性の化粧において、鼻の部位に圧迫痕によるシミの発生を防止し、またシミを時間の経過と共に、薄くしたり、無くしたりする効用もあるので、美容にも良い。
【００１７】
また、眼鏡支持補助具の材料として、シリコーン樹脂を採用しているので、眼鏡支持補助具が側頭部に沿い易く、また肌に接触しても違和感がないし、汗や水に対しても汚染され難く、変質もしないし、対日光にも強いなどの耐候性が有るなど最適である。また、前述のように、眼鏡の着用に際しても、快適に着用することができ、着用者に異物感をもたらさないし、第三者の看者に対しても外見上違和感を与えることがない特徴がある。
【００１８】
また、本考案に係る眼鏡支持補助具は、簡単な構造や材料を採用しているので製作も容易であり、着用効果も大きいものがあるので、本眼鏡支持補助具は経済的で、かつ効用が大である。したがって、日常生活に際して貢献するところが大きい。また、女性の美容についても貢献する。
【図面の簡単な説明】
【００１９】
【図１】図１は、本考案を実施するための形態に係る眼鏡支持補助具の模式的斜視図であって、（ａ）は直方体、（ｂ）は円筒体である。
【図２】図２は、本考案を実施するための形態に係る眼鏡支持補助具を装着した眼鏡を使用した状態を示す（ａ）模式的側面図、（ｂ）Ａ矢視断面図である。
【図３】図３は、本考案を実施するための形態に係る眼鏡支持補助具を装着した眼鏡を使用した状態を示す模式的正面図である。
【考案を実施するための形態】
【００２０】
本考案に係る眼鏡支持補助具実施するための形態について図１、図２、図３を用いて説明する。図１は、本考案を実施するための形態に係る眼鏡支持補助具の模式的斜視図であって、（ａ）は直方体、（ｂ）は円筒体である。図２は、本考案を実施するための形態に係る眼鏡支持補助具を装着した眼鏡を使用した状態を示す（ａ）模式的側面図、（ｂ）Ａ矢視断面図である。図３は、本考案を実施するための形態に係る眼鏡支持補助具を装着した眼鏡を使用した状態を示す模式的正面図である。
【００２１】
図１を用いて、眼鏡支持補助具１を説明する。本考案に係る眼鏡支持補助具１（以下、補助具１と称する）は、形状が（ａ）直方体１−１と（ｂ）円筒体１−２とがある。この場合、直方体は、正方体を含み、円筒体は、長円筒体を含むものである。各補助具１−１，１−２とも、端面中央部に眼鏡２のテンプル２−１を挿通できる挿通孔１−３を全長にわたり形成している。また、眼鏡２のテンプル２−１の断面形状は厚みが薄く、縦長の形状であるので、挿通孔１−３の断面形状も相似するのがよい。また、補助具１−１，１−２は、柔軟で、弾力がある材料から製作されているから、挿通孔１−３がテンプル２−１と多少サイズが違っていても、きっちりとフィットし易いし、また外れ難い。
【００２２】
補助具１−１，１−２は、柔軟で、弾力があり、耐汗、耐水、耐日光等の耐候性のある合成樹脂製であるのが適し、好ましいのは、前述に加えて透明性があり、表面硬度が高く、人体に対して極めて無害である点からシリコーン樹脂で製作するのがよい。また、補助具１−１，１−２の製作は、押出し成形加工が適している。また、補助具１−１，１−２は、布地を表層に、合成樹脂やゴム等で製作したスポンジを中身に層状に重ね合せて製作することもでき、布地の色彩、模様などで補助具１−１，１−２を装飾することもできる。
【００２３】
補助具１−１，１−２の眼鏡２に及ぼす支持力は、補助具１−１，１−２の形状に加え、眼鏡２のテンプル２−１の形状、剛性と着用者の側頭部１０−ｄの接触状態に左右されるので、これらを勘案することにより、直方体１−１又は円筒体１−２の選択をして、次いで補助具１−１，１−２の外形の大きさを決める。補助具１−１，１−２の外形の大きさは、側頭部１０−ｄに接触する面積と、挿通孔１−３のテンプル２−１と側頭部１０−ｄとの間の距離に係る弾力性が大きい程、補助具１−１，１−２の側頭部１０−ｄへの押圧接触力が高くなるので、接触圧力の強さ（支持力）と装着時の美観を勘案して、端部断面の縦、横方向の平均長ａ＋ｂ／２又は直径ｄと軸方向の長さｌ１、ｌ２の比が１：２〜１：３であることが好ましい。一例として、ａ，ｂ、ｄが２ｃｍ、ｌ１、ｌ２が５ｃｍが適当な寸法である。
【００２４】
直方体１−１の補助具１は、サイズの大きいテンプルに合うし、また着用の外見上も似合う。一方、円筒体１−２の補助具１は、サイズの小さいテンプルに合うし、また着用の外見上も似合う。また、同一軸長ｌ１、ｌ２の場合、直方体１−１の方が円筒体１−２よりも側頭部１０−ｄに接触する面積が広く取れるので、眼鏡２の重量を支持する分担力が大きいといえる。
【００２５】
次に、本考案に係る眼鏡支持補助具１の使用方法の一例を説明する。先ず、通常の眼鏡２の構成であるが、眼１０−ｃ前にレンズ２−４を据えて、各レンズ２−４がリム２−５内にセットされ、リム２−５をブリッジ２−６で結び、各リム２−５の他端側がテンプル２−１に連結されている。また、テンプル２−１の他端にはモダン２−２が結合されている。また、鼻パッド２−３は、クリングス（図示しない）を介して、それぞれリム２−５に連結している。この眼鏡２の使用状態は、両方のテンプル２−１を開いて、モダン２−２を耳１０−ａの耳殻の外側に掛けると共に、鼻１０−ｂの部位に鼻パッド２−３を載せて眼鏡２全体を支持して、眼１０−ｃ前に置かれたレンズ２−４の位置を適正に維持する。すなわち、使用状態において、眼鏡２の重量は、鼻パッド２−３を介して鼻１０ｂの部位で支持すると共に、モダン２−２を介して耳１０−ａの部位で負担して支持される。
【００２６】
本考案に係る眼鏡支持補助具１の使用方法であるが、眼鏡２の重量及びテンプル２−２の形状を勘案して、補助具１を直方体１−１にするか、円筒体１−２にするか選択する。次いで、補助具１の断面ａ，ｂ，ｄの大きさと軸方向の長さｌ１、ｌ２の長さを決めて、補助具１を選択する。本考案の補助具１をモダン２−２側から挿入してテンプル２−１に挿通する。次いで、図２，３に示すように、両方のテンプル２−１を展開して着用者の側頭部１０−ｄに適切に押圧接触させると共に、モダン２−２を耳１０−ａの部位に掛けて眼鏡２の重量を負担させて支持する。この状態にすることで、眼鏡２の重量を鼻パッド２−３を介して鼻１０−ｂの部位で負担させることなく、又は負担を大きく軽減して、顔１０に不快感をもたらさないし、鼻１０−ｂ部位に鼻パッド２−３の圧迫痕を付けなくすることができる。とくに、女性の美容において、本補助具１を用いれば、女性の顔に圧迫痕や、それによるシミを付けたりすることなく、また過去に付けたシミも本補助具１を装着することにより薄めたり、消したりすることも可能である。
【００２７】
よって、本考案に係る眼鏡支持補助具１を装着した眼鏡２の着用者は、デスクワーク等の眼に大きく負担が掛かる仕事に従事しても、顔１０や鼻１０−ｂ部位に不快感を覚えることなく、仕事に集中することができる。また、本着用者は第三者から看ても違和感を感じさせないもので、美感をもたらすこともできる。
【産業上の利用可能性】
【００２８】
デスクワーク等眼鏡の着用頻度が高い作業環境の分野で広く利用できる。
【符号の説明】
【００２９】
１：眼鏡支持補助具  １−１：直方体    １−２：円筒体  １−３：挿通孔
２：眼鏡              ２−１：テンプル    ２−２：モダン
２−３：鼻パッド      ２−４：レンズ      ２−５：リム
２−６：ブリッジ          
１０：顔  １０−ａ：耳  １０−ｂ：鼻  １０−ｃ：眼  １０−ｄ：側頭部
ｌ１、ｌ２：全長  ａ：縦高さ  ｂ：横幅  ｃ，ｅ：挿通孔高さ  ｄ：直径
【図１】
0003177822.tif 000003
【図２】
0003177822.tif 000004
【図３】
0003177822.tif 000005